【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
画像形成装置に搭載される現像装置の現像剤容器であって、
現像剤を収容する現像剤収容部および現像剤供給開口を備えた現像剤容器本体部と、
前記現像剤容器本体部の前記現像剤供給開口を封止するシール部材と、
前記現像剤容器本体部の長手方向に前記シール部材を引き抜くための把手部材とを有し、
前記現像剤容器本体部と前記把手部材は、互いに相溶性の低い樹脂材料によって分離自在に一体成形されており、
前記把手部材が、前記画像形成装置の現像剤容器装着領域の外側に及ぶ長手寸法を有することを特徴とする現像剤容器。
【請求項２】
把手部材を形成する樹脂材料が、現像剤容器本体部を形成する樹脂材料より収縮率の大きな材料であることを特徴とする請求項１記載の現像剤容器。
【請求項３】
現像剤容器本体部が、把手部材によって把持または抱合される突形状部を備えていることを特徴とする請求項１または２記載の現像剤容器。
【請求項４】
現像剤容器本体部と把手部材が、色の異なる２つの樹脂材料によって２色成形されていることを特徴とする請求項１ないし３いずれか１項記載の現像剤容器。
【請求項５】
請求項１ないし４いずれか１項記載の現像剤容器を備えたことを特徴とする現像装置。
【請求項６】
請求項１ないし４いずれか１項記載の現像剤容器を有する現像装置と、電子写真感光体と、前記電子写真感光体に作用するプロセス手段を備えたことを特徴とするプロセスカートリッジ。
【請求項７】
請求項１ないし４いずれか１項記載の現像剤容器を有する現像装置と、電子写真感光体と、前記電子写真感光体に作用するプロセス手段を備えたプロセスカートリッジであって、把手部材の長手寸法が、画像形成装置のプロセスカートリッジ装着領域に及ぶ長さであることを特徴とするプロセスカートリッジ。
【請求項８】
請求項１ないし４いずれか１項記載の現像剤容器と電子写真感光体と前記電子写真感光体に作用するプロセス手段を有するプロセスカートリッジと、前記プロセスカートリッジを装着する画像形成装置本体とを備えたことを特徴とする画像形成装置。
【請求項９】
現像剤を収容する現像剤収容部および現像剤供給開口および前記現像剤供給開口を封止するシール部材を備えた現像剤容器に結合される現像容器であって、
画像形成装置の電子写真感光体に作用する現像剤担持体と、
前記現像剤担持体を支持する現像容器本体部と、
前記現像剤容器の長手方向に前記シール部材を引き抜くための把手部材とを有し、
前記現像容器本体部と前記把手部材は、互いに相溶性の低い樹脂材料によって分離自在に一体成形されており、
前記把手部材が、前記画像形成装置の現像容器装着領域の外側に及ぶ長手寸法を有することを特徴とする現像容器。
【請求項１０】
現像剤を収容する現像剤収容部および現像剤供給開口および前記現像剤供給開口を封止するシール部材を備えた現像剤容器と、画像形成装置の電子写真感光体に作用する現像剤担持体とを備えた現像装置の軸受構造であって、
前記現像剤担持体を回転自在に支持する軸受部材と、
前記現像剤容器の長手方向に前記シール部材を引き抜くための把手部材とを有し、
前記軸受部材と前記把手部材は、互いに相溶性の低い樹脂材料によって分離自在に一体成形されており、
前記把手部材が、前記画像形成装置の現像装置装着領域の外側に及ぶ長手寸法を有することを特徴とする軸受構造。
【請求項１１】
把手部材を形成する樹脂材料が、軸受部材を形成する樹脂材料より収縮率の大きな材料であることを特徴とする請求項１０記載の軸受構造。
【請求項１２】
軸受部材が、把手部材によって把手または抱合される突形状部を備えていることを特徴とする請求項１０または１１記載の軸受構造。
【請求項１３】
軸受部材と把手部材が、色の異なる２つの樹脂材料によって２色成形されていることを特徴とする請求項１０ないし１２いずれか１項記載の軸受構造。
【請求項１４】
請求項１０ないし１３いずれか１項記載の軸受構造を備えたことを特徴とする現像装置。
【請求項１５】
請求項１０ないし１３いずれか１項記載の軸受構造を有する現像装置と、電子写真感光体と、前記電子写真感光体に作用するプロセス手段を備えたことを特徴とするプロセスカートリッジ。
【請求項１６】
請求項１０ないし１３いずれか１項記載の軸受構造を有する現像装置と電子写真感光体と前記電子写真感光体に作用するプロセス手段とを有するプロセスカートリッジと、前記プロセスカートリッジを装着する画像形成装置本体とを備えたことを特徴とする画像形成装置。
【請求項１７】
現像剤を収容する現像剤収容部および現像剤供給開口および前記現像剤供給開口を封止するシール部材を備えた現像剤容器を有する現像装置のサイドカバーであって、
前記現像剤容器の側面に結合されたサイドカバー本体部と、
前記現像剤容器の長手方向に前記シール部材を引き抜くための把手部材とを有し、
前記サイドカバー本体部と前記把手部材は、互いに相溶性の低い樹脂材料によって分離自在に一体成形されており、
前記把手部材が、画像形成装置の現像装置装着領域の外側に及ぶ長手寸法を有することを特徴とするサイドカバー。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】